(57)【要約】【課題】ユーザが容易に習得できるマニュアル映像を表示できるディスプレイ装置を提供することである。【解決手段】本発明によるディスプレイ装置は、前記ディスプレイ装置のマニュアル映像を表示するように設けられたディスプレイ部と；ディスプレイ装置のユーザレベル情報に対応する複数のマニュアル情報が保存された保存部と；マニュアル映像の表示イベントが発生すれば既保存されたユーザレベル情報に基づいてユーザレベルを判断し、既保存された複数のマニュアル情報の中で先立って判断したユーザレベルに対応して異なるように選択された少なくとも一つのマニュアル情報によって構成したマニュアル映像をディスプレイ部に表示されるように制御する制御部と；を含むことを特徴とする。【選択図】図２
2013171587.tif 000002
【特許請求の範囲】
【請求項１】
ディスプレイ装置において、
前記ディスプレイ装置のマニュアル映像を表示するように設けられたディスプレイ部と；
前記ディスプレイ装置のユーザレベル情報に対応する複数のマニュアル情報が保存された保存部と；
前記マニュアル映像の表示イベントが発生すれば前記既保存されたユーザレベル情報に基づいてユーザレベルを判断し、前記既保存された複数のマニュアル情報の中で前記判断したユーザレベルに対応して異なるように選択された少なくとも一つの前記マニュアル情報によって構成した前記マニュアル映像を前記ディスプレイ部に表示されるように制御する制御部と；
を含むことを特徴とするディスプレイ装置。
【請求項２】
前記マニュアル映像の表示イベントが所定の第１機能に関連すれば、前記制御部は前記第１機能に対応するユーザレベルを判断することを特徴とする請求項１に記載のディスプレイ装置。
【請求項３】
前記第１機能に対応する前記ユーザレベルは前記第１機能に対するユーザの使用熟練度を含むことを特徴とする請求項２に記載のディスプレイ装置。
【請求項４】
前記制御部は、前記ディスプレイ装置が提供する複数の機能に対するそれぞれの使用パターン情報を保存し、前記各使用パターン情報に基づいて前記複数の機能に対応する前記ユーザレベルを決めることを特徴とする請求項３に記載のディスプレイ装置。
【請求項５】
前記ディスプレイ装置が提供する複数の機能は複数のカテゴリーでグループ化され、
前記制御部は、前記複数のカテゴリーの中で前記第１機能が含まれる前記カテゴリーを選択し、前記選択されたカテゴリーに対する前記ユーザレベルを判断することを特徴とする請求項２に記載のディスプレイ装置。
【請求項６】
前記ユーザレベルは前記選択されたカテゴリーに含まれた複数の機能に対するユーザの使用熟練度を含むことを特徴とする請求項５に記載のディスプレイ装置。
【請求項７】
前記制御部は、前記マニュアル映像で前記第１機能が含まれない前記カテゴリーの第２機能を案内する内容を含めて表示することを特徴とする請求項５に記載のディスプレイ装置。
【請求項８】
前記マニュアル情報は前記機能を各々異なる方式で説明する複数の構造化されたデータを含み、
前記制御部は、前記判断したユーザレベルに従って前記複数の構造化されたデータを異なるように選択して前記マニュアル映像を生成することを特徴とする請求項２に記載のディスプレイ装置。
【請求項９】
前記制御部は、前記第１機能に対する前記ユーザレベルの高い場合の前記マニュアル映像が前記第１機能に対する前記ユーザレベルの低い場合に比べて簡略化されるように前記データを選択することを特徴とする請求項８に記載のディスプレイ装置。
【請求項１０】
前記制御部は、前記第１機能に対する前記ユーザレベルの高い場合に、既設定された表示時間の間に転換表示される前記マニュアル情報映像の数を前記第１機能に対する前記ユーザレベルの低い場合に比べて多く設定することを特徴とする請求項８に記載のディスプレイ装置。
【請求項１１】
映像信号を受信する映像受信部と、
前記映像受信部に受信される映像信号に基づいて映像が表示されるように既設定された映像処理プロセスに従って前記映像信号を処理する映像処理部をさらに含むことを特徴とする請求項１に記載のディスプレイ装置。
【請求項１２】
ディスプレイ装置の制御方法において、
前記ディスプレイ装置に関するマニュアル映像の表示イベントが発生する段階と；
前記ディスプレイ装置に既保存されたユーザレベル情報に基づいてユーザレベルを判断する段階と；
前記ディスプレイ装置に既保存された前記複数のマニュアル情報の中で前記判断したユーザレベルに対応して異なるように選択された少なくとも一つの前記マニュアル情報によって構成した前記マニュアル映像を表示する段階と；
を含むことを特徴とするディスプレイ装置の制御方法。
【請求項１３】
前記マニュアル映像の表示イベントが所定の第１機能に関する場合、前記ユーザレベルを判断する段階は前記第１機能に対応するユーザレベルを判断する段階を含むことを特徴とする請求項１２に記載のディスプレイ装置の制御方法。
【請求項１４】
前記第１機能に対応する前記ユーザレベルは前記第１機能に対するユーザの使用熟練度を含むことを特徴とする請求項１３に記載のディスプレイ装置の制御方法。
【発明の詳細な説明】
【技術分野】
【０００１】
本発明は、映像信号に基づいて映像を表示するディスプレイ装置及びその制御方法に係り、さらに詳しくは、ユーザを考慮してディスプレイ装置が提供する多様な機能に関するマニュアルを表示する構造のディスプレイ装置及びその制御方法に関する。
【背景技術】
【０００２】
ディスプレイ装置は、外部の映像供給源から入力される映像信号を処理してこれを液晶等で具現されるディスプレイパネル（ｄｉｓｐｌａｙ  ｐａｎｅｌ）上に映像で表示する。一般的に、ユーザに提供されるディスプレイ装置は、ＴＶ、モニター、携帯用マルチメディア デバイス等で具現され、例えば、ＴＶで具現されたディスプレイ装置は外部から受信される放送信号をチューニング、デコーディング等のような多様なプロセスを通じてユーザの望む放送チャンネルの映像を提供する。
【０００３】
技術の発展及びコンテンツの増加に従って、このようなディスプレイ装置は相対的に発展したデータ処理速度及び処理容量を活用して、単純に映像コンテンツを提供する水準を越えて、さらに多様で複雑な機能を遂行及び提供する。ディスプレイ装置が提供する機能が拡張され複雑になることによって、ディスプレイ装置は特定機能に対して多様な方式で説明するマニュアル情報の映像を表示することができる。例えば、マニュアル情報は該当機能の名称、属する機能別カテゴリー、簡略情報、詳細情報、イメージ、動画等多様なデータを含む。
【０００４】
ディスプレイ装置はユーザから所定の機能に対するマニュアル情報を表示するように要請されれば、このような多様なデータで構成されたマニュアル情報映像を構成して表示することによって、ユーザにマニュアル情報を提供する。
【発明の概要】
【発明が解決しようとする課題】
【０００５】
従って、本発明の目的は、ユーザが容易に習得できるマニュアル映像を表示できるディスプレイ装置を提供することである。
【課題を解決するための手段】
【０００６】
本発明の実施形態によるディスプレイ装置は、映像信号を受信する映像受信部と；前記映像受信部に受信される前記映像信号を既設定された映像処理プロセスに従って処理する映像処理部と；前記映像処理部によって処理される前記映像信号を映像で表示するディスプレイ部と；前記ディスプレイ装置の少なくとも一つ以上の機能に関する複数のマニュアル情報及び前記少なくとも一つ以上の機能に対応するユーザのレベル情報が保存された保存部と；前記少なくとも一つ以上の機能の中で何れか一つの第１機能に関するマニュアル映像の表示イベントが発生すれば前記既保存されたユーザレベル情報に基づいて前記第１機能に対応するユーザレベルを判断し、前記第１機能に対応するように既保存された前記複数のマニュアル情報の中で前記判断したユーザレベルに対応して異なるように選択された少なくとも一つの前記マニュアル情報によって構成した前記マニュアル映像を前記ディスプレイ部に表示されるように制御する制御部と；を含むことを特徴とする。
【０００７】
ここで、前記第１機能に対応する前記ユーザレベルは前記第１機能に対するユーザの使用熟練度を含むことができる。
【０００８】
ここで、前記制御部は、前記ディスプレイ装置が提供する複数の機能に対するそれぞれの使用パターン情報を保存し、前記各使用パターン情報に基づいて前記複数の機能に対応する前記ユーザレベルを決めることができる。
【０００９】
また、前記ディスプレイ装置が提供する複数の機能は複数のカテゴリーでグループ化され、前記制御部は、前記複数のカテゴリーの中で前記第１機能が含まれる前記カテゴリーを選択し、前記選択されたカテゴリーに対する前記ユーザレベルを判断することができる。
【００１０】
ここで、前記ユーザレベルは前記選択されたカテゴリーに含まれた複数の機能に対するユーザの使用熟練度を含むことができる。
【００１１】
また、前記制御部は、前記マニュアル映像で前記第１機能が含まれない前記カテゴリーの第２機能を案内する内容を含めて表示することができる。
【００１２】
また、前記マニュアル情報は前記機能を各々異なる方式で説明する複数の構造化されたデータを含み、前記制御部は、前記判断したユーザレベルに従って前記複数の構造化されたデータを異なるように選択して前記マニュアル映像を生成することができる。
【００１３】
ここで、前記制御部は、前記第１機能に対する前記ユーザレベルの高い場合の前記マニュアル映像が前記第１機能に対する前記ユーザレベルの低い場合に比べて簡略化されるように前記データを選択することができる。
【００１４】
また、前記制御部は、前記第１機能に対する前記ユーザレベルの高い場合に、既設定された表示時間の間に転換表示される前記マニュアル情報映像の数を前記第１機能に対する前記ユーザレベルの低い場合に比べて多く設定することができる。
【００１５】
また、本発明の実施形態によるディスプレイ装置の制御方法は、映像信号を既設定された映像処理プロセスに従って処理して映像で表示する段階と；前記ディスプレイ装置の少なくとも一つ以上の機能の中で何れか一つの第１機能に関するマニュアル映像の表示イベントが発生する段階と；前記少なくとも一つ以上の機能に対応して既保存されたユーザレベル情報の中で前記第１機能のユーザレベル情報に基づいて前記第１機能に対応するユーザレベルを判断する段階と；前記第１機能に対応するように既保存された前記複数のマニュアル情報の中で前記判断したユーザレベルに対応して異なるように選択された少なくとも一つの前記マニュアル情報によって構成した前記マニュアル映像を表示する段階と；を含むことを特徴とする。
【００１６】
ここで、前記第１機能に対応する前記ユーザレベルは前記第１機能に対するユーザの使用熟練度を含むことができる。
【００１７】
ここで、前記第１機能に対応するユーザレベルを判断する段階は、前記ディスプレイ装置が提供する複数の機能各々に対して既保存された使用パターン情報に基づいて前記複数の機能に対応する前記ユーザレベルを決める段階を含むことができる。
【００１８】
また、前記ディスプレイ装置が提供する複数の機能は複数のカテゴリーでグループ化され、前記第１機能に対応するユーザレベルを判断する段階は、前記複数のカテゴリーの中で前記第１機能が含まれる前記カテゴリーを選択し、前記選択されたカテゴリーに対する前記ユーザレベルを判断する段階を含むことができる。
【００１９】
ここで、前記ユーザレベルは前記選択されたカテゴリーに含まれた複数の機能に対するユーザの使用熟練度を含むことができる。
【００２０】
また、前記マニュアル映像を表示する段階は、前記マニュアル映像で前記第１機能が含まれない前記カテゴリーの第２機能を案内する内容を含めて表示する段階をさらに含むことができる。
【００２１】
また、前記マニュアル情報は前記機能を各々異なる方式で説明する複数の構造化されたデータを含み、前記マニュアル映像を表示する段階は、前記判断したユーザレベルに従って前記複数の構造化されたデータを異なるように選択して前記マニュアル映像を生成する段階を含むことができる。
【００２２】
ここで、前記マニュアル映像を生成する段階は、前記第１機能に対する前記ユーザレベルの高い場合に、前記マニュアル映像が前記第１機能に対する前記ユーザレベルの低い場合に比べて簡略化されるように前記データを選択する段階を含むことができる。
【００２３】
また、前記マニュアル映像を生成する段階は、前記第１機能に対する前記ユーザレベルの高い場合に、既設定された表示時間の間に転換表示される前記マニュアル情報映像の数を前記第１機能に対する前記ユーザレベルの低い場合に比べて多く設定する段階を含むことができる。
【発明の効果】
【００２４】
本発明によれば、ディスプレイ装置がユーザに従って容易に内容を習得するようにするマニュアル映像を提供することができる。
【図面の簡単な説明】
【００２５】
【図１】本発明の実施形態によるディスプレイ装置の構成ブロック図である。
【図２】図１のディスプレイ装置でマニュアル情報映像を生成する過程を示す順序図である。
【図３】図１のディスプレイ装置で、第１機能のマニュアル情報に対してユーザレベルに従ってマニュアル情報映像を構成する方法を示す例示図である。
【図４】図１のディスプレイ装置で、時間経過に従って複数のマニュアル情報映像を転換表示する方法を示す例示図である。
【図５】図１のディスプレイ装置で、時間経過に従って複数のマニュアル情報映像を転換表示する方法の他の実施形態を示す例示図である。
【図６】図１のディスプレイ装置の制御方法を示す制御フローチャートである。
【発明を実施するための形態】
【００２６】
以下、添付図面を参照して本発明に対して詳しく説明する。以下の実施形態では、本発明の思想と直接的に関連のある構成に対してだけ説明し、その他の構成に対しては説明を省略する。しかし、本発明の思想が適用された装置またはシステムを具現することにおいて、このように説明が省略された構成が不必要を意味することではないことを明らかにする。 
【００２７】
図１は本発明の実施形態によるディスプレイ装置１の構成ブロック図である。
【００２８】
図１に示すように、本実施形態によるディスプレイ装置１は、映像信号を既設定された映像処理プロセスに従って処理して映像で表示する装置として、外部の映像供給源（図示せず）から受信されたりまたは自体的に保存されている映像信号/映像データ/映像情報に基づいて自体的に映像を表示することができるＴＶで具現される。
【００２９】
しかし、本発明の思想は、このような具現例示とは異なる、例えば、携帯用マルチメディア プレーヤー、モバイル フォン等のような構造のディスプレイ装置１にも適用されることができる。即ち、以下説明する実施形態はシステムの具現方式に従って多様に変更適用される一つの例示にとして、本発明の思想を限定することではないことを明らかにする。
【００３０】
ディスプレイ装置１が表示できる映像の種類は限られず、例えば、ディスプレイ装置１は動画、停止映像、アプリケーション（ａｐｐｌｉｃａｔｉｏｎ）、ＯＳＤ（ｏｎ−ｓｃｒｅｅｎ  ｄｉａｐｌａｙ）、多様な動作制御のためのＧＵＩ（ｇｒａｐｈｉｃ  ｕｓｅｒ  ｉｎｔｅｒｆａｃｅ）等の映像を表示することができる。
【００３１】
特に、本実施形態によるディスプレイ装置１は、ディスプレイ装置１が提供する多様な機能に対して、該当機能を多様な方式で説明するマニュアル（ｍａｎｕａｌ）情報映像を表示することができる。
【００３２】
以下、ディスプレイ装置１が含む構成に対して説明する。
【００３３】
ディスプレイ装置１は、外部の映像供給源（図示せず）から映像信号を受信する映像受信部１１０と、映像受信部１１０に受信される映像信号を処理する映像処理部１２０と、映像処理部１２０により処理される映像信号を映像で表示するディスプレイ部１３０と、ユーザの操作に従って既設定された制御コマンドを出力するユーザ入力部１４０と、限られないデータが保存される保存部１５０と、ディスプレイ装置１の諸般構成の動作を制御する制御部１６０と、を含む。
【００３４】
映像受信部１１０は少なくとも一つの映像供給源（図示せず）から有線/無線で受信される映像信号を映像処理部１２０に伝達し、受信される映像信号の規格や映像供給源（図示せず）及びディスプレイ装置１の具現方式に対応して多様な方式を有する。例えば、映像受信部１１０は、ＲＦ信号、ＨＤＭＩ（ｈｉｇｈ  ｄｅｆｉｎｉｔｉｏｎ  ｍｕｌｔｉｍｅｄｉａ  ｉｎｔｅｒｆａｃｅ）、ＵＳＢコンポーネント（ｃｏｍｐｏｎｅｎｔ）等の規格による信号/データを受信することができる。また、映像受信部１１０はＲＦ信号を受信する場合に、ＲＦ信号をチューニングするためのチューナー（ｔｕｎｅｒ）を含むことができる。
【００３５】
映像処理部１２０は、映像受信部１１０から伝達される映像信号に対して既設定された多様な映像処理プロセスを行なう。映像処理部１２０はこのようなプロセスが行なわれた映像信号をディスプレイ部１３０に出力することによって、ディスプレイ部１３０に該当映像信号に基づく映像が表示されるようにする。
【００３６】
映像処理部１２０が行なう映像処理プロセスの種類は限られず、例えば、所定の信号を各特性別に分配するディマルチプレキシング（ｄｅ−ｍｕｌｔｉｐｌｅｘｉｎｇ）映像信号の映像フォーマットに対応するデコーディング（ｄｅｃｏｄｉｎｇ）、インターレース（ｉｎｔｅｒｌａｃｅ）方式の映像信号をプログレッシブ（ｐｒｏｇｒｅｓｓｉｖｅ）方式で変換するディ−インタレーシング（ｄｅ−ｉｎｔｅｒｌａｃｉｎｇ）、映像信号を既設定された解像度で調整するスケーリング（ｓｃａｌｉｎｇ）、映像画質改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、フレーム リフレッシュ レート（ｆｒａｍｅ  ｒｅｆｒｅｓｈ  ｒａｔｅ）変換等を含むことができる。
【００３７】
映像処理部１２０はこのようなプロセスを行なうために多様なチップセット（図示せず）をはじめとする電子部品（図示せず）等の回路構成が印刷回路基板（図示せず）上に装着された映像処理ボード（図示せず）で具現される。
【００３８】
ディスプレイ部１３０は映像処理部１２０から出力される映像信号に基づいて映像を表示する。ディスプレイ部１３０の具現方式は限られず、 液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、面伝導電子銃 （ｓｕｒｆａｃｅ−ｃｏｎｄｕｃｔｉｏｎ  ｅｌｅｃｔｒｏｎ−ｅｍｉｔｔｅｒ）、炭素ナノ チューブ（ｃａｒｂｏｎ  ｎａｎｏ−ｔｕｂｅ）、ナノ クリスタル（ｎａｎｏ−ｃｒｙｓｔａｌ）等の多様なディスプレイ方式で具現されることができる。
【００３９】
ディスプレイ部１３０はその具現方式に従って付加的な構成を追加的に含むことができる。例えば、ディスプレイ部１３０が液晶方式である場合、ディスプレイ部１３０は液晶ディスプレイパネル（図示せず）と、これに光を供給するバックライトユニット（図示せず）と、パネル（図示せず）を駆動させるパネル駆動基板（図示せず）と、を含む。
【００４０】
ユーザ入力部１４０はユーザの操作及び入力によって、既設定された多様な制御コマンドまたは限られない情報を制御部１６０に伝達する。ユーザ入力部１４０はディスプレイ装置１外側に設けられたメニューキー（ｍｅｎｕ−ｋｅｙ）及び入力パネル（ｐａｎｅｌ）や、ディスプレイ装置１と分離離隔されたリモート コントローラー（ｒｅｍｏｔｅ  ｃｏｎｔｒｏｌｌｅｒ）等で具現される。
【００４１】
ユーザ入力部１４０はディスプレイ部１３０と一体型で具現されることもできる。即ち、ディスプレイ部１３０がタッチスクリーン（ｔｏｕｃｈ−ｓｃｒｅｅｎ）である場合、ユーザはディスプレイ部１３０に表示された入力メニュー（図示せず）を通じて既設定されたコマンドを制御部１６０に伝達することもできる。
【００４２】
保存部１５０は制御部１６０の制御に従って限られないデータが保存される。保存部１５０はフラッシュメモリー（ｆｌａｓｈ−ｍｅｍｏｒｙ）、ハードディスク ドライブ（ｈａｒｄ−ｄｉｓｃ  ｄｒｉｖｅ）のような非揮発性メモリーで具現される。保存部１５０は制御部１６０によってアクセスされ、制御部１６０によるデータの読取/記録/修正/削除/更新等が行なわれる。
【００４３】
制御部１６０はディスプレイ装置１の多様な構成に対する制御動作を行なう。例えば、制御部１６０は映像受信部１１０による映像信号の受信動作、映像処理部１２０が行なう映像処理プロセスの進行、ユーザ入力部１４０からのコマンドに対する対応制御動作を行なうことによって、ディスプレイ装置１の全体動作を制御する。
【００４４】
このような構造によって、制御部１６０はユーザ入力部１４０を通じてディスプレイ装置１が提供する多様な機能、サービスまたはインタラクション（ｉｎｔｅｒａｃｔｉｏｎ）の中で所定の第１機能に関するマニュアル情報の要請コマンドを受信することができる。一方、保存部１５０はディスプレイ装置１の各機能に対するマニュアル情報のデータベースを保存する。
【００４５】
このような要請コマンドに従って、制御部１６０は保存部１５０のデータベースから該当第１機能に関するマニュアル情報を選択し、この選択したマニュアル情報の映像をディスプレイ部１３０に表示されるようにする。
【００４６】
しかし、ディスプレイ装置１を使用するユーザが複数である場合、各ユーザによるディスプレイ装置１の使用パターンは各々異なって、またディスプレイ装置１の各機能に対するユーザのユーザレベルは各々異なる。ここで、ユーザレベルは該当機能に対するユーザの使用熟練度を意味し、さらに詳しくは、該当機能に対してユーザが理解している程度を比較可能に定量化した値である。
【００４７】
例えば、同じディスプレイ装置１でも、各ユーザが該当ディスプレイ装置１で主に使用する機能は互いに異なる。従って、何れのユーザは特定機能に対して使用熟練度のレベルが相対的に高いが、他のユーザは同一機能に対して使用熟練度レベルが相対的に低いこともできる。
【００４８】
したがって、制御部１６０が万一ユーザのレベルを考慮せず第１機能に関するマニュアル情報を提供すれば、ユーザに従って適切でないマニュアル情報が提供される場合が発生することができる。即ち、使用熟練度レベルの高いユーザ立場では提供されるマニュアル情報が不必要に多い内容を含んだり、または使用熟練度レベルの低いユーザ立場では提供されるマニュアル情報の内容が不足することができる。
【００４９】
従って、本実施形態によれば、保存部１５０はディスプレイ装置１が提供する少なくとも一つ以上の機能に対して、各機能別に複数のマニュアル情報を保存し、また各機能に対応するユーザのレベル情報を保存する。
【００５０】
制御部１６０はこのような少なくとも一つ以上の機能の中で所定の第１機能に関するマニュアル映像の表示イベントが発生すれば、保存部１５０に既保存されたユーザレベル情報に基づいて第１機能に対応するユーザレベルを判断する。また、制御部１６０は保存部１５０に保存された第１機能に関する複数のマニュアル情報の中で、先立って判断したユーザレベルに対応して異なるようにマニュアル情報を選択することによってマニュアル情報映像を構成し、この構成したマニュアル情報映像がディスプレイ部１３０に表示されるように制御する。
【００５１】
このように第１機能に対するユーザレベルに対応してマニュアル情報映像を表示することによって、ユーザの機能熟知水準に従って選択的にマニュアル情報映像を提供してユーザの便宜を図ることができる。即ち、第１機能に対して熟練度レベルの高いユーザに対しては簡単なマニュアル情報映像を表示し、熟練度レベルの低いユーザに対しては詳しいマニュアル情報映像を提供することができる。
【００５２】
以下、ユーザレベルに対応してマニュアル情報映像を生成する方法に対して図２を参照して説明する。図２はこのような過程を示す順序図である。
【００５３】
図２に示すように、ユーザ入力部１４０を通じてディスプレイ装置１の多様な機能の中で所定の第１機能に関するマニュアル情報映像を表示するように要請するイベントが発生すれば、制御部１６０は発生イベントに対するユーザプロファイルを確認する（２１０）。
【００５４】
制御部１６０は万一保存部１５０に一つのユーザプロファイルだけが保存されていれば、該当ユーザプロファイルを選択する。しかし、制御部１６０は保存部１５０に複数のユーザプロファイルが保存されていれば、ユーザ入力部１４０から受信されるユーザ識別ＩＤに基づいて何れか一つのユーザプロファイルを特定したり、またはデフォルト（ｄｅｆａｕｌｔ）と指定されたユーザプロファイルを選択する。
【００５５】
制御部１６０は選択されたユーザプロファイルのユーザによるディスプレイ装置１の使用パターンを分析する２２０。使用パターンの分析は保存部１５０に保存された使用パターン データベース２２１に基づいて行なわれる。
【００５６】
使用パターン データベース２２１は、ディスプレイ装置１が提供する機能らに対するユーザの使用現況に関する履歴情報を含む。制御部１６０はこのような履歴情報に基づいてユーザが使用した機能の種類、頻度等を分析する。
【００５７】
制御部１６０はこのような分析結果に従ってユーザレベルを決める２３０。即ち、保存部１５０はディスプレイ装置１が提供する複数の機能各々に対して機能別使用パターン情報を保存し、制御部１６０はこのような各使用パターン情報に基づいて複数の機能各々に対応するユーザレベルを決めることができる。
【００５８】
または、ユーザレベルは次のような方法で決定されることもできる。ディスプレイ装置１が提供する複数の機能は複数の機能別カテゴリーでグループ化されるので、各カテゴリーは複数の機能を含む。例えば、第１機能は複数の機能格別カテゴリーの中で第１カテゴリーに含まれ、第１カテゴリーは第１機能以外にも複数の機能を含む。
【００５９】
制御部１６０は使用パターンを分析することにおいて、第１機能単独に対する使用パターンだけでなく、このような第１カテゴリーに含まれる諸般機能に対する使用パターンを分析する。従って、制御部１６０は第１カテゴリーに対するユーザレベルを決定する。例えば、制御部１６０は第１カテゴリー内の機能らに対する使用頻度が既設定値より以上である場合、または第１カテゴリー内の機能の中で高級機能で分類された機能に対する使用頻度が既設定値より以上である場合に高級熟練度を有するユーザと分類することができる。
【００６０】
このように、第１機能単独でない、第１機能が含まれる第１カテゴリーの諸般機能に対するユーザレベルを決める理由は、何れか一つのカテゴリーに含まれる機能は相互類似性ないしは関連性を有するようと分類されるからである。したがって、第１カテゴリーの何れか一つの機能に対する熟練度レベルの高いユーザは、同一カテゴリーの他の機能に対する熟練度レベルも高いと期待することができる。
【００６１】
一方、保存部１５０はディスプレイ装置１が提供する各機能に関するマニュアル情報及び各マニュアル情報で該当機能を多様な方式で説明する構造化された下部データが保存されたマニュアル データベース２４１を保存する。
【００６２】
前述のように、ユーザレベルが決定されれば、制御部１６０はマニュアル データベース２４１にアクセスして、ユーザレベルに従って第１機能に関するマニュアル情報の下部データを選択する２４０。即ち、各ユーザレベルに対応して既設定された選択条件があるので、制御部１６０は決定されたユーザレベルに従って異なる条件で下部データを選択する。これによって、第１機能に関するマニュアル情報映像は、決定されたユーザレベルに従って異なる内容を含む。これに対する詳しい説明は後述する。
【００６３】
制御部１６０はこのような過程に従ってマニュアル情報映像を生成する２５０。制御部１６０は生成されたマニュアル情報映像を既設定された条件に従ってディスプレイ部１３０に表示されるように映像処理部１２０を制御する。前述した既設定された条件の例示は、ディスプレイ部１３０の表示領域内でマニュアル情報映像の位置、表示時間、大きさ等を含む。
【００６４】
前述した色々なデータベースの構成はオントロジー（ｏｎｔｏｌｏｇｙ）基盤の知識モデリング システムに基づいて構築されることができる。オントロジーは共有された概念化（ｓｈａｒｅｄ  ｃｏｎｃｅｐｔｕａｌｉｚａｔｉｏｎ）に対する定形化され明示的な明細（ｆｏｒｍａｌ  ａｎｄ  ｅｘｐｌｉｃｉｔ  ｓｐｅｃｉｆｉｃａｔｉｏｎ）として、データベースのレコード及びこれらレコードの間の関係で構成される。オントロジー基盤のデータベースは特定ドメインに関するレコードまたは単語が階層的に構成されており、追加的にこれを拡張できる推論規則が含まれる。オントロジーはセマンティックス（ｓｅｍａｎｔｉｃ）ウェブ応用の最も中心的な概念として、データベースの検索時に形式的な検索ではない、キーワードの意味の推論に従って情報検索が行なわれるようになる。
【００６５】
以下、ユーザレベルに従って異なる方法でマニュアル情報３１０の下部データ３１１、３１２、３１３、３１４、３１５、３１６、３１７を選択する例示に対して図３を参照して説明する。図３は第１機能のマニュアル情報３１０に対して、ユーザレベルに従ってマニュアル情報映像３２０、３３０、３４０を構成する方法を示す例示図である。以下、説明するマニュアル情報３１０及びこのマニュアル情報３１０の下部データ３１１、３１２、３１３、３１４、３１５、３１６、３１７をユーザレベルに従って選択する方法は一つの例示に過ぎないだけ、本発明の思想を限定しない。
【００６６】
図３に示すように、図面左側の第１機能に対応するマニュアル情報３１０は保存部１５０のマニュアル データベース２３１、（図２参照）に保存される。マニュアル情報３１０は第１機能を異なる方式で説明する複数の下部データ３１１、３１２、３１３、３１４、３１５、３１６、３１７を含む。
【００６７】
例えば、マニュアル情報３１０は第１機能の名称を示す題目３１１と、第１機能が属する機能別カテゴリーの名称を示すカテゴリー３１２と、第１機能を簡略に説明する簡略情報３１３と、第１機能をより詳しく説明する詳細情報３１４と、第１機能に関する説明を付加する第１イメージ３１５、第２イメージ３１６及び動画３１７を含む。
【００６８】
第１機能に対するユーザレベルが上級熟練者（ｅｘｐｅｒｔ）、中級熟練者（ｉｎｔｅｒｍｅｄｉａｔｅ）、下級熟練者（ｎｅｗｂｉｅ）と分類されるといえば、制御部１６０はユーザレベルの高い場合のマニュアル情報映像がユーザレベルの低い場合のマニュアル情報映像に比べて簡略化されるように下部データ３１１、３１２、３１３、３１４、３１５、３１６、３１７を選択する。
【００６９】
例えば、制御部１６０は上級熟練者と分類されたユーザレベルに対して、第１機能のマニュアル情報３１０から題目３１１、カテゴリー３１２、簡略情報３１３を選択してマニュアル情報映像３２０を生成する。これは、上級熟練者は下級熟練者に比べて該当第１機能に関する情報を熟知する程度が高いので、詳しい情報を必要としないと記載されるからである。
【００７０】
制御部１６０は中級熟練者と分類されたユーザレベルに対して、第１機能のマニュアル情報３１０から題目３１１、カテゴリー３１２、詳細情報３１４を選択してマニュアル情報映像３３０を生成する。中級熟練者は上級熟練者に比べてさらに詳しい情報を必要とすると期待されるところ、制御部１６０は上級熟練者対象のマニュアル情報映像３２０に比べて、簡略情報３１３を詳細情報３１４で代えてマニュアル情報映像３３０を生成する。
【００７１】
反面、下級熟練者が第１機能の情報を熟知するためには、さらに詳しい情報が提供される必要がある。従って、制御部１６０は下級熟練者と分類されたユーザレベルに対して、第１機能のマニュアル情報３１０から題目３１１、カテゴリー３１２、詳細情報３１４、第１イメージ３１５、動画３１７を選択してマニュアル情報映像３４０を生成する。
【００７２】
このように、第１機能に関するマニュアル情報映像を提供することにおいて、各ユーザレベルに対応して異なる説明内容を含むようにマニュアル情報映像を構成することができる。
【００７３】
一方、制御部１６０はマニュアル情報映像を生成する時に、ユーザが使用しなかったりまたは使用頻度の低い機能に対する案内映像をマニュアル情報映像に含ませることができる。例えば、制御部１６０は複数の機能格別カテゴリーの中で、マニュアル情報映像の対象になる第１機能が含まれないカテゴリーを選択し、このカテゴリーに含まれた第２機能に関するマニュアル情報を選択して第１機能に関するマニュアル情報映像に追加させる。
【００７４】
これによって、ディスプレイ装置１はユーザに不案内の機能を紹介することによって、ユーザが該当機能を活用するように寄与することができる。ここで、カテゴリー及び第２機能の選択方法は既設定された多様な条件が適用されることができるので、本発明の思想を限定しない。
【００７５】
一方、複数の機能に関するマニュアル情報映像が既設定された時間の間に転換表示される場合に関し考慮できるところ、これに対して図４を参照して以下を説明する。図４は時間の経過に従って複数のマニュアル情報映像４１０、４２０、４３０、４４０を転換表示する方法に対する例示図である。
【００７６】
図４に示すように、制御部１６０は複数のマニュアル情報映像４１０、４２０、４３０、４４０を所定のイベント、例えば、アプリケーションの実行のためのローディング時間中に既設定された時間ｔの間に表示することができる。
【００７７】
ユーザレベルが上級熟練者Ａ、中級熟練者Ｂ、下級熟練者Ｃに区分されるといえば、制御部１６０は各ユーザレベルに従って既設定時間ｔの間に転換表示されるマニュアル情報映像４１０、４２０、４３０、４４０の数を異なるように設定する。さらに具体的に、制御部１６０はユーザレベルの高い上級熟練者Ａである場合に、時間ｔの間に転換表示されるマニュアル情報映像４１０、４２０、４３０、４４０の数をユーザレベルの低い場合に比べて多く設定する。
【００７８】
上級熟練者Ａの場合は前述のようにマニュアル情報映像４１０、４２０、４３０、４４０に含まれるデータがさらに簡略化されているので、限定された時間の間にさらに多い機能に関するマニュアル情報映像４１０、４２０、４３０、４４０を表示することができる。
【００７９】
従って、制御部１６０は上級熟練者Ａの場合、マニュアル情報映像４１０、４２０、４３０、４４０の中で四つのマニュアル情報映像４１０、４２０、４３０、４４０全部を時間ｔの間に転換表示する。
【００８０】
反面、制御部１６０は中級熟練者Ｂの場合、マニュアル情報映像４１０、４２０、４３０、４４０の中で二つのマニュアル情報映像４１０、４２０を時間ｔの間に転換表示する。制御部１６０は下級熟練者Ｃの場合、マニュアル情報映像４１０、４２０、４３０、４４０の中で一つのマニュアル情報映像４１０だけを時間ｔの間に転換表示する。
【００８１】
これは、下級熟練者Ｃの場合は一つのマニュアル情報映像４１０、４２０、４３０、４４０内にさらに詳しいデータを含むので、上級熟練者Ａまたは中級熟練者Ｂに比べて、一つのマニュアル情報映像４１０、４２０、４３０、４４０の内容をユーザが認知するためには相対的に多い時間を必要とするからである。
【００８２】
一方、前記実施形態ではマニュアル情報映像４１０、４２０、４３０、４４０を限定された時間ｔの間に転換表示する場合に対して説明したが、複数のマニュアル情報映像４１０、４２０、４３０、４４０を全部転換表示する場合に対しても考慮することができる。これに対して、以下の図５を参照して説明する。図５は時間経過に従って複数のマニュアル情報映像４１０、４２０、４３０、４４０を転換表示する方法に対して図４の場合と異なる実施形態を示す例示図である。
【００８３】
図５に示すように、制御部１６０は四つのマニュアル情報映像４１０、４２０、４３０、４４０を転換表示することにおいて、ユーザレベルに従って一つのマニュアル情報映像４１０、４２０、４３０、４４０の表示時間を各々異なるように設定する。
【００８４】
一つのマニュアル情報映像４１０、４２０、４３０、４４０の表示時間を上級熟練者Ａ、中級熟練者Ｂ、下級熟練者Ｃに対して各々ｔ１、ｔ２、ｔ３とすれば、制御部１６０はこの時間をｔ３>ｔ２>ｔ１になるように設定する。これは、ユーザレベルが低いほど一つのマニュアル情報映像４１０、４２０、４３０、４４０に含まれる情報の量が相対的に多くなるので、ユーザの内容認知まで所要される時間が多くなるからである。
【００８５】
制御部１６０はユーザレベルが決定されれば、決定されたユーザレベルに従って一つのマニュアル情報映像４１０、４２０、４３０、４４０の表示に所要される時間を決めて、決定された時間に対応して複数のマニュアル情報映像４１０、４２０、４３０、４４０を転換表示する。
【００８６】
以下、本実施形態によるディスプレイ装置１の制御方法に対して図６を参照して説明する。図６はこのような過程を示す制御フローチャートである。
【００８７】
図６に示すように、ディスプレイ装置１は提供する多様な機能の中で第１機能のマニュアル情報映像を表示するイベントが発生すれば（Ｓ１００）、ユーザプロファイルを特定することによって対象ユーザを特定する（Ｓ１１０）。
【００８８】
ディスプレイ装置１はユーザが特定されれば、特定されたユーザの使用パターン情報に基づいて該当ユーザレベルを判断する（Ｓ１２０）。ディスプレイ装置１は第１機能に関する複数のマニュアル情報の中で、判断したユーザレベルに対応して既設定された条件に従ってマニュアル情報を選択する（Ｓ１３０）。
【００８９】
ディスプレイ装置１は選択されたマニュアル情報によってマニュアル情報映像を生成し（Ｓ１４０）、生成されたマニュアル情報映像を表示する（Ｓ１５０）。
【００９０】
このような過程によって、ディスプレイ装置１は第１機能に対するユーザレベルに対応して異なる内容のマニュアル情報映像を表示することができる。
【００９１】
前述した実施形態では、ディスプレイ装置が所定の第1機能に対するユーザレベルに対応してマニュアル情報映像を表示する構成に対して説明した。しかし、本発明の思想はこれに限られず、多様な変更例示が可能なので、例えばユーザレベルは特定の機能に対応しないこともできる。
【００９２】
これによれば、ディスプレイ装置はマニュアル情報イメージを表示するイベントが発生すれば、既保存されたユーザレベル情報に対応してユーザレベルを判断する。即ち、ユーザレベルは特定機能に係らず、ディスプレイ装置に既保存されたユーザの使用履歴情報に基づいて判断されることができる。ディスプレイ装置は判断されたユーザレベルに対応して期保存されたマニュアル情報を選択的に組み合うことによってマニュアル情報イメージを生成及び表示する。
【００９３】
前述のように、本の実施形態によるディスプレイ装置は、ディスプレイ装置のマニュアル情報映像を表示するように設けられたディスプレイ部と、ディスプレイ装置のユーザレベル情報に対応する複数のマニュアル情報が保存された保存部と、マニュアル映像の表示イベントが発生すれば既保存されたユーザレベル情報に基づいてユーザレベルを判断し、判断したユーザレベルに対応して既保存された複数のマニュアル情報の中で異なるように選択された少なくとも一つのマニュアル情報によって構成したマニュアル情報映像をディスプレイ部に表示されるように制御する制御部を含む。
【００９４】
以上、多様な実施形態を通じて本発明に対して図示し説明したが、本発明はこれに限定されず、本発明の属する技術分野の通常の知識を有する人なら本発明の原則や精神に外れなく本発明の一実施形態を変形し得ることを分かることができる。
【符号の説明】
【００９５】
１               ディスプレイ装置
１１０     映像受信部
１２０     映像処理部
１３０     ディスプレイ部
１４０     ユーザ入力部
１５０     保存部
１６０     制御部
【図１】
2013171587.tif 000003
【図２】
2013171587.tif 000004
【図３】
2013171587.tif 000005
【図４】
2013171587.tif 000006
【図５】
2013171587.tif 000007
【図６】
2013171587.tif 000008